(57)【特許請求の範囲】
【請求項１】
セルラ・ネットワークを使用して第１ユーザから第２ユーザへの振替を監督する方法であって、
前記セルラ・ネットワークにおいて、前記第１ユーザから振替情報を受信するステップであって、前記振替情報は前記セルラ・ネットワークへの金額の電子振込を含む、ステップと、
前記セルラ・ネットワークにおいて、前記第１ユーザによって提供された前記振替情報を検証するステップと、
前記第１ユーザからの前記現金の受取を知らせる通知を、前記セルラ・ネットワークから前記第２ユーザに送信するステップと、
前記セルラ・ネットワークから前記第２ユーザに秘密コードを送信するステップと、
前記セルラ・ネットワークがベンダから前記秘密コードを受信するときに、前記第１ユーザから受信された前記現金の金額を示す認可メッセージを前記セルラ・ネットワークからベンダに送信するステップと、
前記ベンダが前記金額を前記第２ユーザに支払ったことの確認を前記第２ユーザが前記セルラ・ネットワークに提供するときに、前記セルラ・ネットワークにより、前記金額を前記ベンダの口座に入金するステップと
を含む方法。
【請求項２】
前記セルラ・ネットワークは、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）ストリングを使用して前記振替情報を受信するよう構成される、請求項１に記載の方法。
【請求項３】
前記振替情報は、
アクセス・コードと、
バウチャの番号であって、前記バウチャは前記第１ユーザによって入手される、バウチャの番号と、
前記第２ユーザのＭｏｂｉｌｅ  Ｓｔａｔｉｏｎ  Ｉｎｔｅｒｎａｔｉｏｎａｌ  ＩＳＤＮ  ｎｕｍｂｅｒ（ＭＳＩＳＤＮ）と
を含む、請求項１に記載の方法。
【請求項４】
前記振替情報は、ストリング・フォーマット＊＜アクセス・コード＞＊＜バウチャ番号＞＊＜第２ユーザのｍｓｉｓｄｎ＞＃である、請求項１に記載の方法。
【請求項５】
前記振替情報は、Ｉｎｔｅｒａｃｔｉｖｅ  Ｖｏｉｃｅ  Ｒｅｓｐｏｎｓｅ（ＩＶＲ）メニューを使用して前記セルラ・ネットワークに送信される、請求項１に記載の方法。
【請求項６】
前記振替情報は、ショート・メッセージ・サービス（ＳＭＳ）メッセージを使用して前記セルラ・ネットワークに送信される、請求項１に記載の方法。
【請求項７】
前記セルラ・ネットワークは、前記第１ユーザから前記振替情報を受信するやいなや、前記バウチャ番号および前記第２ユーザのＭＳＩＳＤＮを認可する、請求項１に記載の方法。
【請求項８】
前記セルラ・ネットワークは、前記ベンダが前記第２ユーザのＭＳＩＳＤＮおよび前記秘密コードを前記セルラ・ネットワークに提供するときに、前記ベンダに対して前記第２ユーザを確認するよう構成されている、請求項１に記載の方法。
【請求項９】
前記ベンダは、前記第２ユーザを確認するためにフォーマット＊＜アクセス・コード＞＊＜コード＞＊＜第２ユーザのｍｓｉｓｄｎ＞＃を使用する、請求項８に記載の方法。
【請求項１０】
前記第２ユーザのＭＳＩＳＤＮおよび前記秘密コードは、Ｉｎｔｅｒａｃｔｉｖｅ  Ｖｏｉｃｅ  Ｒｅｓｐｏｎｓｅ（ＩＶＲ）メニューを使用して前記第２ユーザから前記セルラ・ネットワークへ提供される、請求項８に記載の方法。
【請求項１１】
前記ベンダは、前記第２ユーザのＭＳＩＳＤＮおよび前記第２ユーザによって提供された前記秘密コードを前記セルラ・ネットワークに提供することによって前記第２ユーザを確認するためにショート・メッセージ・サービス（ＳＭＳ）メッセージを使用する、請求項１に記載の方法。
【請求項１２】
前記セルラ・ネットワークは、前記金額を前記ベンダの口座に入金する際に前記バウチャ番号を転送済みとしてマークする、請求項３に記載の方法。
【請求項１３】
前記セルラ・ネットワークは、前記第２ユーザが前記金額の受取を確認するやいなや、前記第１ユーザに確認を送信する、請求項１に記載の方法。
【請求項１４】
振替を監督するよう構成されたネットワーク要素であって、
前記ネットワーク要素は、プロセッサを有するサービス制御ポイントを備え、
前記プロセッサは、
第１ユーザから振替情報を受信し、ここで、前記振替情報は第２ユーザへの前記振替を実行するように前記ネットワーク要素に対して指示するものであり、
前記第１ユーザからの前記振替情報の受取を知らせる通知を前記第２ユーザに送信し、
前記第２ユーザへ秘密コードを送信し、
前記ネットワーク要素がベンダから前記秘密コードを受信するときに、前記ベンダによって提供される情報を検証することによって前記第２ユーザを確認し、
前記第２ユーザに問合せを送信し、ここで、前記問合せは、前記第２ユーザに対して、前記振替情報に示された金額に等しい金額の受け取りを確認するよう求めるものであり、
前記ベンダが前記第２ユーザに対して前記金額を支払ったことの確認を前記第２ユーザが前記ネットワーク要素に提供するときに、前記ベンダの口座に前記金額を入金する
よう構成されている、ネットワーク要素。
【請求項１５】
前記サービス制御ポイントは、前記ベンダの口座に前記金額が入金されるやいなや、前記ベンダに通知を送信するよう構成されている、請求項１４に記載のネットワーク要素。
【請求項１６】
前記プロセッサは、さらに、
前記金額が前記第２ユーザに送金されることを示す通知を前記第１ユーザに送信し、
前記第１ユーザによって提供される前記第２ユーザの情報を認可し、
前記第１ユーザからの金額の受取についての情報を含む秘密コードと、通知メッセージとを前記第２ユーザに送信し、
前記ネットワーク要素が前記ベンダから前記秘密コードを受信するときに、前記金額をベンダが前記第２ユーザに支払うことを認可する
よう構成されている、請求項１４に記載のネットワーク要素。
【請求項１７】
セルラ・ネットワークを用いた、資金の移動を監督する方法であって、
前記方法は、
前記セルラ・ネットワークがモバイル端末へ宛てた資金を受信したときに、前記セルラ・ネットワークから、電子的に、前記モバイル端末へ秘密コードを送信するステップと、
前記セルラ・ネットワークがベンダから前記秘密コードを受信するときに、前記セルラ・ネットワークから、電子的に、前記モバイル端末へ宛てた前記受信された資金の金額を示す認可メッセージを前記ベンダへ送信するステップと、
前記ベンダが前記モバイル端末へ宛てた前記受信された資金の金額を前記モバイル端末のユーザへ支払ったかどうかを示す確認を、前記セルラ・ネットワークが前記モバイル端末から受信するときに、前記セルラ・ネットワークから、電子的に、前記金額分だけ前記ベンダの口座に入金するステップとを具備する、方法。
【発明の詳細な説明】
【技術分野】
【０００１】
本明細書の実施形態は、金融取引のシステムおよび方法に関し、より具体的には、第三者を介する現金の電子振込に関する。
【背景技術】
【０００２】
多くの電子決済（ｅｌｅｃｔｒｏｎｉｃ  ｃａｓｈ  ｐａｙｍｅｎｔ）のシステムおよび方法が、あるユーザから別のユーザに送金するために提案されてきた。これらのシステムのそれぞれは、取引全体がセキュアに発生することを保証するために、複雑な一連のトランザクションおよび検証を必要とする。
【０００３】
Ｗｅｓｔｅｒｎ  Ｕｎｉｏｎ社、Ｍｏｎｅｙ  Ｇｒａｍ社、Ｃｙｂｅｒ  Ｃａｓｈ社などによって提供されるものなどのさまざまなエージェント・ベースの振替サービスも存在する。通常、これらのサービスは、中間エージェントとの関係を確立するために実行されるべき一連の取引前ステップを用いる。また、媒介者との関係の確立は、時間がかかり、多数の人が好むものより多くの書類提出を必要とする。エージェント・ベースのサービスは、支払人がエージェントのファシリティに行き、現金を受取人の近くのサイトに転送させることを要求し、この受取人は、その後、その現金を受け取るために、同一位置または別の位置の同一の転送エージェントのサイトに申し入れをする必要があり、これは、遅く、しばしば不便な配置である。
【０００４】
一般に電子送金（ＥＦＴ）システムは、バンキング・システムの外部であまねく受け入れられる経済価値の転送を提供する自動化取引システムの必要を満足することができない。セルラ通信デバイスを使用する現金取引の場合には、「ＰａｙＰａｌ  Ｍｏｂｉｌｅ」の場合のように、支払う顧客が、インターネット上のエージェント・サイトに携帯電話番号を登録し、その後、銀行口座から別の顧客のセルラ通信デバイス番号、電子メールｉｄなどに現金を転送する必要がある。その後、第２の顧客は、エージェント・サイト上で登録することによって、受け取った額を請求する必要がある。セルラ・デバイス現金取引サービスは、ユーザが銀行口座詳細をエージェント・サイトと共有することを必要とし、また、取引プロセスは複雑である。さらに、この方法の実施態様は、特定の地理的区域内のすべての銀行から口座情報を獲得することを必要とする。
【発明の概要】
【課題を解決するための手段】
【０００５】
前述に鑑みて、本明細書の実施形態は、セルラ・ネットワークを使用して第１ユーザから第２ユーザに現金を転送する方法を提供する。この方法は、第１ユーザが第１ユーザのセルラ・ネットワークに詳細を送信するステップと、セルラ・ネットワークが第１ユーザによって提供された詳細を認可するステップと、セルラ・ネットワークが第２ユーザへの現金の転送を確認する通知を第１ユーザに送信するステップと、セルラ・ネットワークが第１ユーザからの現金の受取を知らせる通知を第２ユーザに送信するステップと、セルラ・ネットワークが第２ユーザに秘密コードを送信するステップと、ベンダがセルラ・ネットワークに連絡することによって第２ユーザによってベンダに提供された詳細を確認するステップと、セルラ・ネットワークがベンダによって提供された第２ユーザの詳細を確認するステップと、セルラ・ネットワークが、ベンダが現金を第２ユーザに支払うことを認可するステップと、セルラ・ネットワークが現金の受取を確認するために第２ユーザに問合せを送信するステップと、第２ユーザが問合せを確認する時に、現金をベンダの口座に入金するステップとを含む。第１ユーザは、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）ストリング、ショート・メッセージ・サービス（ＳＭＳ）メッセージ、またはＩｎｔｅｒａｃｔｉｖｅ  Ｖｏｉｃｅ  Ｒｅｓｐｏｎｓｅ（ＩＶＲ）メニューのうちの少なくとも１つを使用してセルラ・ネットワークに詳細を送信する。第１ユーザによってセルラ・ネットワークに送信される詳細は、アクセス・コードと、第１ユーザによって入手されるバウチャ（ｖｏｕｃｈｅｒ）の番号と、第２ユーザ（１０５）のＭｏｂｉｌｅ  Ｓｔａｔｉｏｎ  Ｉｎｔｅｒｎａｔｉｏｎａｌ  ＩＳＤＮ  ｎｕｍｂｅｒ（ＭＳＩＳＤＮ）とからなる。第１ユーザは、詳細をストリング・フォーマット＊＜アクセス・コード＞＊＜バウチャ番号＞＊＜第２ユーザのｍｓｉｓｄｎ＞＃でセルラ・ネットワークに送信する。
【０００６】
セルラ・ネットワークは、第１ユーザからの詳細の受信時にバウチャ番号および第２ユーザのＭＳＩＳＤＮを認可する。ベンダは、第２ユーザのＭＳＩＳＤＮおよび第２ユーザによってセルラ・ネットワークに提供された秘密コードを提供することによって第２ユーザを確認し、ベンダは、第２ユーザを確認するためにフォーマット＊＜アクセス・コード＞＊＜コード＞＊＜第２ユーザのｍｓｉｓｄｎ＞＃を使用する。ベンダは、第２ユーザのＭＳＩＳＤＮおよび第２ユーザによってセルラ・ネットワークに提供された秘密コードを提供することによって第２ユーザを確認するためにＩｎｔｅｒａｃｔｉｖｅ  Ｖｏｉｃｅ  Ｒｅｓｐｏｎｓｅ（ＩＶＲ）メニューまたはショート・メッセージ・サービス（ＳＭＳ）メッセージを使用することもできる。セルラ・ネットワークは、現金をベンダの口座に入金する際にバウチャ番号を転送済みとしてマークし、第２ユーザが現金の受取を確認する時に第２ユーザが現金を受け取ったことの確認を第１ユーザに送信する。
【０００７】
本明細書の実施形態は、第２ユーザに現金を転送する第１ユーザから詳細を受信し、第１ユーザによって提供される第２ユーザの詳細を認可し、第２ユーザへの現金の転送を確認する通知を第１ユーザに送信し、第１ユーザからの現金の受取を知らせる通知を第２ユーザに送信し、第２ユーザに秘密コードを送信し、ベンダによって提供される詳細を検証することによって第２ユーザを確認し、ベンダが現金を第２ユーザに支払うことを認可し、現金の受取を確認するために第２ユーザに問合せを送信し、第２ユーザが問合せを確認する際にベンダの口座に現金を入金するように適合された少なくとも１つの手段を含むネットワークをさらに開示する。セルラ・ネットワークは、第２ユーザへの現金の転送の完了時にベンダに通知を送信するように適合された少なくとも１つの手段を含む。
【０００８】
本明細書の実施形態の上記および他の態様は、次の説明および添付図面に関連して検討される時によりよく了解され、理解される。
【０００９】
本明細書の実施形態は、図面に関する次の詳細な説明からよりよく理解される。
【図面の簡単な説明】
【００１０】
【図１】本明細書の実施形態による、あるユーザから別のユーザへのセルラ通信ネットワーク内での現金の電子振込に用いられる要素を示すブロック図である。
【図２】本明細書の実施形態による、例のサービス制御ポイント（Ｓｅｒｖｉｃｅ  Ｃｏｎｔｒｏｌ  Ｐｏｉｎｔ、ＳＣＰ）を示すブロック図である。
【図３】本明細書の実施形態による、あるユーザから別のユーザへのセルラ通信ネットワーク内での現金の転送のコール・フローを示す概略図である。
【図４】本明細書の実施形態による、あるユーザから別のユーザへセルラ通信ネットワーク内で現金を電子的に転送する方法を示す流れ図である。
【発明を実施するための形態】
【００１１】
本明細書の実施形態ならびにそのさまざまな特徴および有利な詳細を、添付図面に図示され、次の説明で詳細に説明される非限定的な実施形態に関してより十分に説明する。周知のコンポーネントおよび処理技法の説明は、本明細書の実施形態を不必要に不明瞭にしないようにするために省略する。本明細書で使用される例は、単に、本明細書の実施形態を実践できる形の理解を容易にすることおよび当業者が本明細書の実施形態を実践することをさらに可能にすることを目的とする。したがって、これらの例を、本明細書の実施形態の範囲を限定するものと解釈してはならない。
【００１２】
本明細書の実施形態は、あるユーザから別のユーザへセルラ通信ネットワークを介してセルラ通信デバイスを使用して現金を転送する方法を達成する。ここで図面、より具体的には図１から４を参照すると、諸実施形態が示されているが、図面では、同様の符号が複数の図面を通じて一貫して対応する特徴を示す。
【００１３】
本明細書の実施形態は、指定された金銭価値を瞬間的にセルラ・ネットワークを介してあるユーザから別のユーザへ電子的に転送する方法を開示する。以下では第１ユーザと称する送金を必要とするユーザは、指定された金銭価値の前払いバウチャを市場から購入し、バウチャ番号および別のユーザのＭｏｂｉｌｅ  Ｓｔａｔｉｏｎ  Ｉｎｔｅｒｎａｔｉｏｎａｌ  ＩＳＤＮ  ｎｕｍｂｅｒ（ＭＳＩＳＤＮ）を含むＵｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）ストリングをセルラ・ネットワークのＨｏｍｅ  Ｌｏｃａｔｉｏｎ  Ｒｅｇｉｓｔｅｒ（ＨＬＲ）に送信する。セルラ・ネットワークのサービス制御ポイント（ＳＣＰ）は、第１ユーザによって提供された詳細を認可し、以下では第２ユーザと称する、第１ユーザによって望まれる現金の受取人に、秘密コードと一緒に通知を送信する。ＳＣＰによって第２ユーザに送信される通知は、第２ユーザに、第１ユーザからの現金の受取について知らせる。その後、第２ユーザは、ベンダに秘密コードを提供し、このベンダは、秘密コードおよび第２ユーザのＭＳＩＳＤＮと共にメッセージをＨＬＲを介してセルラ・ネットワークのＳＣＰに送信する。その後、ＳＣＰは、第２ユーザを確認し、ベンダが第２ユーザに現金を支払うことを認可する。その後、ネットワークは、第２ユーザによる現金の受取の確認時に、ベンダの口座に現金を転送する。さらに、ネットワークは、転送済みとしてバウチャ番号をマークし、第２ユーザが現金を受け取ったことを第１ユーザに通知する。
【００１４】
図１は、本明細書の実施形態による、あるユーザから別のユーザへのセルラ通信ネットワーク内での現金の電子振込に用いられる要素を示すブロック図である。第１ユーザ１０１は、第２ユーザ１０５に送信されるべき指定された金銭価値のバウチャを購入する。バウチャは、前払いバウチャ、たとえば携帯電話用の前払いバウチャ、Ｉｎｄｉａ  Ｔｅｌｅｐｈｏｎｅ（ＩＴ）Ｃａｒｄ、Ｃａｌｌｏｗ  Ｃａｒｄ、Ｆｏｒｅｉｇｎ  Ｌａｎｇｕａｇｅ  Ｐｒｏｆｉｃｉｅｎｃｙ  Ｐａｙ（ＦＬＰＰ）Ｒｅｃｈａｒｇｅ  Ｃｏｕｐｏｎなどの陸線プリペイド・カードとして市場で入手可能である。その後、第１ユーザ１０１は、Ｕｎｓｔｒｕｃｔｕｒｅｄ  Ｓｕｐｐｌｅｍｅｎｔａｒｙ  Ｓｅｒｖｉｃｅｓ  Ｄａｔａ（ＵＳＳＤ）ストリングを第１ユーザ１０１のセルラ・ネットワーク１０２のＨＬＲ  １０３に送信する。第１ユーザ１０１によってＨＬＲ  １０３に送信されるＵＳＳＤストリングは、アクセス・コードのフィールド、第１ユーザ１０１によって購入されたバウチャの番号のフィールド、および第２ユーザ１０５のＭＳＩＳＤＮのフィールドを含む。たとえば、第１ユーザ１０１は、通常、セルラ・ネットワーク１０２にストリング・フォーマット＊＜アクセス・コード＞＊＜バウチャ番号＞＊＜第２ユーザのｍｓｉｓｄｎ＞＃で詳細を送信する。セルラ・ネットワーク１０２のサービス制御ポイント（ＳＣＰ）１０４は、バウチャ番号および第２ユーザ１０５のＭＳＩＳＤＮを認可する。その後、ＳＣＰ  １０４は、使用済みとしてバウチャ番号を示す。さらに、ＳＣＰ  １０４は、現金が第２ユーザ１０５に転送されるはずであることを示す通知を第１ユーザ１０１に送信する。また、ＳＣＰ  １０４は、秘密コードが付随する、第１ユーザ１０１からの現金の受取に関して知らせる通知メッセージを第２ユーザ１０５に送信する。第２ユーザ１０５は、ベンダ１０６に申し入れをし、秘密コードをベンダ１０６に提供する。ベンダ１０６は、セルラ・ネットワーク１０２のＳＣＰ  １０４にメッセージを送信し、ここで、このメッセージは、ベンダのアクセス・コードのフィールド、第２ユーザ１０５によって与えられた秘密コードのフィールド、および第２ユーザ１０５のＭＳＩＳＤＮのフィールドを含む。たとえば、ベンダ１０６は、セルラ・ネットワーク１０２を用いて第２ユーザ１０５を確認するために、フォーマット＊＜アクセス・コード＞＊＜コード＞＊＜第２ユーザのｍｓｉｓｄｎ＞＃を使用する。ＳＣＰ  １０４は、秘密コードおよび第２ユーザ１０５のＭＳＩＳＤＮを認可し、指定された額を第２ユーザ１０５に支払うための認可メッセージをベンダ１０６に送信する。第２ユーザ１０５は、現金の受取を問い合わせるＵＳＳＤ通知をＳＣＰ  １０４から受信する。第２ユーザ１０５は、ベンダからの現金の受取に関する確認をＳＣＰ  １０５に送信する。その後、ＳＣＰは、転送済みとしてバウチャ番号をマークし、現金をベンダ１０６のモバイル口座に入金する。さらに、第１ユーザ１０１は、現金が第２ユーザ１０５に転送されたことを知らせる通知を受信し、ベンダ１０６は、取引が完了したことの通知を受信する。
【００１５】
図２は、本明細書の実施形態による、例のサービス制御ポイント（ＳＣＰ）を示すブロック図である。ＳＣＰ  １０４は、接続ユニット２０１、制御ユニット２０２、およびメモリ・ユニット２０３を含む。制御ユニット２０２は、メモリ・ユニット２０３に格納されたオペレーティグ・システムの命令を実行する１つのプロセッサまたはプロセッサのグループである。ＳＣＰ  １０４の制御ユニット２０３内に存在するＵＳＳＤサービスは、振替サービスを実施する。ＵＳＳＤサービスは、主として、使用可能な勘定残高およびセルラ・ネットワーク内の他の類似する情報を問い合わせるのに使用される。ＵＳＳＤは、セッション指向のサービスであり、ユーザは、セル電話機画面から直接にＵｎｓｔｒｕｃｔｕｒｅｄ  Ｓｕｐｐｌｅｍｅｎｔａｒｙ  Ｓｅｒｖｉｃｅｓ  Ｄａｔａ（ＵＳＳＤ）コマンドを入力することができる。メモリ・ユニット２０３は、たとえば第１ユーザ１０１によって提供されたバウチャ詳細、ベンダ１０６詳細、ユーザ口座、制御ユニット２０２によって実行されるプログラム・コード・シーケンスなどを格納するために、ハード・ディスクまたはＲＡＭモジュールからなる。制御ユニット２０２は、第１ユーザ１０１と第２ユーザ１０５とベンダ１０６との間で接続を確立する際の接続ユニット２０１の機能にも影響する。
【００１６】
図３は、本明細書の実施形態による、あるユーザから別のユーザへのセルラ通信ネットワーク内での現金の転送のコール・フローを示す概略図である。第１ユーザ１０１は、第２ユーザ１０５に転送される指定された金銭価値のバウチャを市場から購入する。その後、第１ユーザは、セルラ・ネットワーク１０２のＨＬＲ  １０３にＵＳＳＤストリングを送信する。第１ユーザ１０１によってＨＬＲ  １０３に送信されるＵＳＳＤストリングは、アクセス・コードのフィールド、第１ユーザ１０１によって購入されたバウチャの番号のフィールド、および第２ユーザ１０５のＭＳＩＳＤＮのフィールドを含む。たとえば、第１ユーザ１０１は、通常、セルラ・ネットワーク１０２にストリング・フォーマット＊＜アクセス・コード＞＊＜バウチャ番号＞＊＜第２ユーザのｍｓｉｓｄｎ＞＃で詳細を送信する。その後、ＨＬＲ  １０３は、このＵＳＳＤストリングをセルラ・ネットワーク１０２のサービス制御ポイント（ＳＣＰ）１０４に送信する。セルラ・ネットワーク１０２のＳＣＰ  １０４は、バウチャ番号および第２ユーザ１０５のＭＳＩＳＤＮを認可し、使用済みとしてバウチャ番号をマークする。さらに、ＳＣＰ  １０４は、現金が第２ユーザ１０５に送金されるはずであることを示す通知を第１ユーザ１０１に送信する。その後、ＳＣＰ  １０４は、第１ユーザ１０１からの現金の受取に関して知らせる通知メッセージおよび秘密コードを第２ユーザ１０５に送信する。第２ユーザ１０５は、ベンダ１０６に申し入れをし、ＳＣＰ  １０４から受信した秘密コードをベンダ１０６に提供する。ベンダ１０６は、セルラ・ネットワーク１０２のＳＣＰ  １０４にメッセージを送信し、ここで、このメッセージは、ベンダのアクセス・コードのフィールド、第２ユーザ１０５によって与えられた秘密コードのフィールド、および第２ユーザ１０５のＭＳＩＳＤＮのフィールドを含む。ベンダ１０６は、例に挙げたように、セルラ・ネットワーク１０２を用いて第２ユーザ１０５を確認するために、フォーマット＊＜アクセス・コード＞＊＜コード＞＊＜第２ユーザのｍｓｉｓｄｎ＞＃を使用する。ＳＣＰ  １０４は、秘密コードおよび第２ユーザ１０５のＭＳＩＳＤＮを認可し、指定された額を第２ユーザ１０５に支払うための認可メッセージをベンダ１０６に送信する。第２ユーザ１０５は、現金の受取を問い合わせるＵＳＳＤ通知をＳＣＰ  １０４から受信する。第２ユーザ１０５は、ベンダからの現金の受取に関する「Ｙｅｓ」をＳＣＰ  １０５に送信する。その後、ＳＣＰは、転送済みとしてバウチャ番号をマークし、現金をベンダ１０６のモバイル口座に入金する。さらに、第１ユーザ１０１は、現金が第２ユーザ１０５に転送されたことを知らせる通知を受信し、ベンダ１０６は、取引が完了したことの通知を受信する。振替に用いられるコミッション構造は、ベンダが第１ユーザ１０１にバウチャを販売することと、ベンダ１０６が第２ユーザ１０５に現金を支払うことと、セルラ・ネットワークの動作とを含む。
【００１７】
図４に、本明細書の実施形態による、あるユーザから別のユーザへセルラ通信ネットワーク内で現金を電子的に転送する方法を示す流れ図を示す。第１ユーザ１０１は、第２ユーザ１０５に転送される、必要な金銭価値のバウチャをベンダから購入する（４０１）。その後、第１ユーザ１０１は、第１ユーザ１０１のセルラ・ネットワーク１０２のＨＬＲ  １０３にＵＳＳＤストリングを送信する（４０２）。第１ユーザ１０１によってＨＬＲ  １０３に送信されるＵＳＳＤストリングは、アクセス・コードのフィールド、第１ユーザ１０１によって購入されたバウチャの番号のフィールド、および第２ユーザ１０５のＭＳＩＳＤＮのフィールドを含む。第１ユーザ１０１は、セルラ・ネットワーク１０２にストリング・フォーマット＊＜アクセス・コード＞＊＜バウチャ番号＞＊＜第２ユーザのｍｓｉｓｄｎ＞＃で詳細を送信する。セルラ・ネットワークのサービス制御ポイント（ＳＣＰ）１０４は、バウチャ番号および第２ユーザ１０５のＭＳＩＳＤＮを認可する（４０３）。その後、ＳＣＰ  １０４は、使用済みとしてバウチャ番号をマークする。さらに、ＳＣＰ  １０４は、現金が第２ユーザ１０５に送金されるはずであることを示す通知を第１ユーザ１０１に送信する（４０４）。また、ＳＣＰ  １０４は、第１ユーザ１０１からの現金の受取を知らせる通知メッセージおよび秘密コードを第２ユーザ１０５に送信する（４０５）。第２ユーザ１０５は、ベンダ１０６に申し入れをし、秘密コードをベンダ１０６に提供する（４０６）。ベンダ１０６は、セルラ・ネットワークのＳＣＰ  １０４にメッセージを送信することによって第２ユーザ１０５を確認し（４０７）、ここで、このメッセージは、ベンダのアクセス・コードのフィールド、第２ユーザ１０５によって与えられた秘密コードのフィールド、および第２ユーザ１０５のＭＳＩＳＤＮのフィールドを含む。ベンダ１０６は、たとえば、セルラ・ネットワーク１０２を用いて第２ユーザ１０５を確認するために、フォーマット＊＜アクセス・コード＞＊＜コード＞＊＜第２ユーザのｍｓｉｓｄｎ＞＃を使用する。ＳＣＰ  １０４は、秘密コードおよび第２ユーザ１０５のＭＳＩＳＤＮを認可し（４０８）、指定された額を第２ユーザ１０５に支払うための認可メッセージをベンダ１０６に送信する（４０９）。その後、ネットワーク１０２は、額が第２ユーザ１０５によって受け取られたかどうかをチェックするために第２ユーザ１０５をチェックする（４１０）。現金が第２ユーザ１０５に支払われ、第２ユーザ１０５がネットワーク１０２問合せへの応答として「Ｙｅｓ」を送信することによって現金の受取を確認する場合には、ネットワーク１０２は、現金をベンダ１０６のモバイル口座に入金する（４１１）。さらに、ネットワーク１０２は、現金が第２ユーザに転送されたことを第１ユーザ１０１に通知し（４１２）、ベンダ１０６は、取引が完了したことの通知を受信する。現金の受取に関する問合せが第２ユーザ１０５によって確認されない場合には、ネットワーク１０２は、ベンダ口座への現金取引を打ち切り（４１３）、ベンダは、取引を再開始する必要がある。方法４００のさまざまなアクションを、提示された順序で、異なる順序で、または���時に実行することができる。さらに、いくつかの実施形態では、図４にリストされたアクションの一部を省略することができる。
【００１８】
第１ユーザ１０１が、バウチャ情報および第２ユーザ１０５のアイデンティティに関する情報をセルラ・ネットワークのＨＬＲに送信する、本明細書で開示される実施形態は、その代わりに、第１ユーザ１０１がバウチャ番号および第２ユーザ１０５のＭＳＩＳＤＮをネットワークに通信するのにＩｎｔｅｒａｃｔｉｖｅ  Ｖｏｉｃｅ  Ｒｅｓｐｏｎｓｅ（ＩＶＲ）を使用することを用いることができる。
【００１９】
第１ユーザ１０１が、バウチャ情報および第２ユーザ１０５のアイデンティティに関する情報をセルラ・ネットワークのＨＬＲに送信する、本明細書で開示される実施形態は、その代わりに、第１ユーザ１０１がバウチャ番号および第２ユーザ１０５のＭＳＩＳＤＮをネットワークに通信するのにショート・メッセージ・サービス（ＳＭＳ）メッセージを使用することを用いることができる。
【００２０】
ベンダ１０６が、第２ユーザ１０５のアイデンティティを確認するために情報をセルラ・ネットワークのＨＬＲに送信する、本明細書で開示される実施形態は、その代わりに、ベンダ１０６が、ベンダ１０６のアクセス・コード、第２ユーザ１０５によって提供された秘密コード、および第２ユーザ１０５のＭＳＩＳＤＮをネットワークに通信するのにＩｎｔｅｒａｃｔｉｖｅ  Ｖｏｉｃｅ  Ｒｅｓｐｏｎｓｅ（ＩＶＲ）を使用することを用いることができる。
【００２１】
ベンダ１０６が、第２ユーザ１０５のアイデンティティを確認するために情報をセルラ・ネットワークのＨＬＲに送信する、本明細書で開示される実施形態は、その代わりに、ベンダ１０６が、ベンダ１０６のアクセス・コード、第２ユーザ１０５によって提供された秘密コード、および第２ユーザ１０５のＭＳＩＳＤＮをネットワークに通信するのにショート・メッセージ・サービス（ＳＭＳ）メッセージを使用することを用いることができる。
【００２２】
本明細書で開示される実施形態を、インテリジェント・ネットワーク（ＩＮ）製品と一体化することができる。本明細書の実施形態は、送信側または受信側が銀行口座を有することを必要とせずにあるユーザから別のユーザに現金を転送することを可能にし、他のユーザへの即時振替を容易にし、インターネット接続性を必要とせず、現金を転送するために携帯電話番号をネットワークに登録する必要がなく、このサービスは、加入者がローミング状態である時であってもアクティブ・モードにある。
【００２３】
本明細書で開示される実施形態を、少なくとも１つのハードウェア・デバイス上で動作し、ネットワーク要素を制御するためにネットワーク管理機能を実行する、少なくとも１つのソフトウェア・プログラムを介して実施することができる。図１に示されたネットワーク要素は、ハードウェア・デバイス、ソフトウェア・モジュール、またはハードウェア・デバイスおよびソフトウェア・モジュールの組合せのうちの少なくとも１つとすることができるブロックを含む。
【００２４】
本明細書で開示される実施形態は、振替サービスを別々のエンティティとしてまたはネットワークの既に存在する要素と組み合わせてホスティングできることを明細に述べるものである。したがって、保護の範囲が、そのようなプログラムおよび加えてその中にメッセージを有するコンピュータ可読手段に拡張され、そのようなコンピュータ可読手段が、プログラムがＳＣＰまたは任意の適切なプログラム可能デバイス上で動作する時に、本方法の１つまたは複数のステップの実施のためのプログラム・コード手段を含むことを理解されたい。本方法は、好ましい実施形態では、たとえばＶｅｒｙ  ｈｉｇｈ  ｓｐｅｅｄ  ｉｎｔｅｇｒａｔｅｄ  ｃｉｒｃｕｉｔ  Ｈａｒｄｗａｒｅ  Ｄｅｓｃｒｉｐｔｉｏｎ  Ｌａｎｇｕａｇｅ（ＶＨＤＬ）もしくはＣ、Ｃ＋＋、Ｊａｖａで記述されるか、別のプログラミング言語を使用するか、１つもしくは複数のＶＨＤＬ、Ｃ、Ｃ＋＋、もしくはＪａｖａのプロセスもしくはルーチンまたは少なくとも１つのハードウェア・デバイス上で実行される複数のソフトウェア・モジュールによって実施される、ソフトウェア・プログラムを介してまたはこれと一緒に実施される。ハードウェア・デバイスは、たとえばサーバもしくはパーソナル・コンピュータなどのすべての種類のコンピュータ、ＦＰＧＡ、プロセッサなど、あるいはその任意の組合せ、たとえば１つのプロセッサおよび２つのＦＰＧＡを含む、プログラムすることのできるすべての種類のデバイスとすることができる。デバイスは、たとえば、たとえばＡＳＩＣなどのハードウェア手段、またはハードウェア手段およびソフトウェア手段の組合せ、たとえばＡＳＩＣおよびＦＰＧＡもしくは少なくとも１つのマイクロプロセッサおよびソフトウェア・モジュールがその中に配置された少なくとも１つのメモリなどとすることができる手段を含むこともできる。したがって、手段は、少なくとも１つのハードウェア手段および／または少なくとも１つのソフトウェア手段である。本明細書で説明される方法実施形態を、純粋にハードウェアで、または部分的にハードウェアおよび部分的にソフトウェアで実施することができる。デバイスは、ソフトウェア手段だけを含むこともできる。その代わりに、本発明を、たとえば複数のＣＰＵを使用して、異なるハードウェア・デバイス上で実施することができる。
【図１】
0005367087.tif 000002
【図２】
0005367087.tif 000003
【図３】
0005367087.tif 000004
【図４】
0005367087.tif 000005